(57)【特許請求の範囲】
【請求項１】
排水路が内部に形成されアンテナが設けられた樋体と、
この樋体の上端に設けられた上接続体と、
前記排水路に連通する接続口を有し前記上接続体の上面によって形成された水受け部と
を備え、
前記水受け部は、
当該水受け部の外縁の略全周に亘って上方に突出した立設片と、
この立設片の一部に設けられ当該立設片よりも低く突出した堰部と
を有しており、
前記上接続体は、その側面に前記堰部から下方に向けて設けられた水伝い部を有している
ことを特徴とするアンテナ付き竪樋。
【請求項２】
前記水伝い部は、上下方向に連続する溝部により構成されたものである
ことを特徴とする請求項１記載のアンテナ付き竪樋。
【請求項３】
前記上接続体は、
前記樋体の側面から側方に膨出して少なくとも下面を有する側方膨出部と、
前記側方膨出部の下面に設けられて前記アンテナに接続された端子部と
を備え、
前記水伝い部の下端部は、前記端子部よりも下方に突出している
ことを特徴とする請求項１又は請求項２のいずれか記載のアンテナ付き竪樋。
【請求項４】
前記水伝い部が前記側方膨出部の先端部に設けられている
ことを特徴とする請求項３に記載のアンテナ付き竪樋。
【発明の詳細な説明】
【技術分野】
【０００１】
本発明は、竪樋とアンテナとが一体形状となったアンテナ付き竪樋に関する。
【背景技術】
【０００２】
従来、竪樋に取り付けられるアンテナが知られている（例えば特許文献１参照）。この特許文献１記載のアンテナは、竪樋に対して後付け的に取り付けられる。この後付け用のアンテナは、電波を受信するアンテナ部が、竪樋の側面から側方に突出するよう取り付けられている。
【先行技術文献】
【特許文献】
【０００３】
【特許文献１】特開平０１−１６８１０１号公報
【発明の概要】
【発明が解決しようとする課題】
【０００４】
このようにこの特許文献１記載のアンテナは、竪樋に取り付けられると当該竪樋の側方に大きく膨出する。このため、この引用文献１記載のアンテナは、設置された状態では、外観上非常に目立つものであり、建物の外観を損なうおそれがある。
【０００５】
そこで本発明者は、排水機能を有し竪樋の一部を構成するアンテナ（以下、アンテナ付き竪樋という）を開発した（図１３参照）。このアンテナ付き竪樋１は、例えば、建物外壁に沿って固定された竪樋１００の一部を切除し、その切除した箇所に取り付けられる。これによりアンテナ付き竪樋１は、竪樋１００の一部として機能するだけでなくアンテナとしても機能する。
【０００６】
アンテナ付き竪樋１は、上端部に上接続体１０３を備えている。アンテナ付き竪樋１はアンテナを有している。上接続体１０３の上面は水受け部１０４となっている。上接続体１０３は上面に接続口１０２を有している。
【０００７】
水受け部１０４には、その外縁全周に亘って立設片１０５が設けられている。立設片１０５は、水受け部１０４に受けられた雨水が外側に漏れるのを防ぐ。これにより雨水は、接続口１０２内に流れ込む。
【０００８】
しかしながらこのアンテナ付き竪樋１は、接続口１０２に異物等が入り込んだ場合等には、水受け部１０４に受けられた雨水が立設片１０５を越えて漏れ出てしまう（図１３（ｂ）矢印参照）。この場合、雨水は、水受け部１０４の外縁における不特定な箇所から溢れて見栄えが悪い。
【０００９】
本発明は、上記事情に鑑みてなされたものであり、その目的とするところは、水受け部に受けられた雨水について、通常は接続口に流入させることができ、接続口に流入しにくくなった場合でも特定の箇所から雨水を排出できるアンテナ付き竪樋を提供することにある。
【課題を解決するための手段】
【００１０】
本発明のアンテナ付き竪樋は、排水路が内部に形成されアンテナが設けられた樋体と、
この樋体の上端に設けられた上接続体と、前記排水路に連通する接続口を有し前記上接続体の上面によって形成された水受け部とを備え、前記水受け部は、当該水受け部の外縁の略全周に亘って上方に突出した立設片と、この立設片の一部に設けられ当該立設片よりも低く突出した堰部とを有しており、前記上接続体は、その側面に前記堰部から下方に向けて設けられた水伝い部を有していることを特徴とする。
【００１１】
またこのアンテナ付き竪樋において、前記水伝い部は、上下方向に連続する溝部により構成されたものであることが好ましい。
【００１２】
またこのアンテナ付き竪樋において、前記上接続体は、前記樋体の側面から側方に膨出して少なくとも下面を有する膨出部と、前記膨出部の下面に設けられて前記アンテナに接続された端子部とを備え、前記水伝い部の下端部は、前記端子部よりも下方に突出していることが好ましい。
【００１３】
またこのアンテナ付き竪樋において、前記水伝い部が前記上接続体の膨出部の先端に設けられていることが好ましい。
【発明の効果】
【００１４】
本発明のアンテナ付き竪樋によれば、水受け部に受けられた雨水について、通常は接続口に流入させることができ、接続口に流入しにくくなった場合でも、特定の箇所から雨水を排出することができる。
【図面の簡単な説明】
【００１５】
【図１】（ａ）（ｂ）は本実施形態のアンテナ竪樋の要部斜視図である。
【図２】本実施形態のアンテナ竪樋が竪樋に取り付けられた状態の全体概略図である。
【図３】本実施形態のアンテナ竪樋の斜視図であり、一部破断している。
【図４】本実施形態のアンテナ竪樋の分解斜視図である。
【図５】本実施形態のアンテナの給電部の斜視図である。
【図６】本実施形態のアンテナの背面から見た斜視図である。
【図７】本実施形態の下接続体の分解斜視図である。
【図８】本実施形態の上接続体及び集水部の分解斜視図である。
【図９】本実施形態の上接続体のカバー部を省略した斜視図である。
【図１０】本実施形態のアンテナ竪樋の上端部を示す断面図である。
【図１１】（ａ）（ｂ）は他の実施形態のアンテナ竪樋の要部斜視図である。
【図１２】（ａ）（ｂ）は更に他の実施形態のアンテナ竪樋の要部斜視図である。
【図１３】（ａ）（ｂ）はアンテナ竪樋の参考例を示す斜視図である。
【発明を実施するための形態】
【００１６】
以下、本発明の実施形態について添付図面に基づいて説明する。
【００１７】
本実施形態のアンテナ付き竪樋１は、図２に示されるように、竪樋８の一部に組み込まれている。竪樋８は、建物外壁９０に沿って配置されている。竪樋８は、上下方向の一部が取り除かれている。アンテナ付き竪樋１は、竪樋８において、この取り除かれた箇所に取り付けられている。
【００１８】
なお、以下必要に応じて、竪樋８の一部を切除した状態において、上流側に位置する筒状の樋を「上流側の竪樋９１」と定義する。また、竪樋８の一部を切除した状態において、下流側に位置する筒状の樋を「下流側の竪樋９２」と定義する。
【００１９】
アンテナ付き竪樋１は、竪樋８の一部を構成する竪樋形状をしたアンテナである。言い換えると、アンテナ付き竪樋１は、排水機能を有するアンテナである。アンテナ付き竪樋１は、電波の受信用のアンテナを構成する。アンテナ付き竪樋１は、例えば、電気機器に接続される。電気機器は、例えば、テレビやラジオである。アンテナ付き竪樋１は、ケーブルを介して電気機器に接続される。アンテナ付き竪樋１は、図３等に示されるように、樋体１０と、外筒体１９と、上接続体４０と、下接続体５０とを備えている。
【００２０】
樋体１０は、筒状体１１により主体が構成されている。樋体１０は、図４に示されるように、この筒状体１１と、排水筒１２と、集水部１５と、アンテナ２とを備えている。樋体１０は、排水筒１２が筒状体１１の内部に配置されている。言い換えると樋体１０は、２重筒となっている。
【００２１】
筒状体１１は、断面円形の丸樋により構成されている。筒状体１１は、非導電性の合成樹脂により構成されている。筒状体１１は、上下方向に長さを有している。筒状体１１は、中心軸が上下方向に平行となるよう配置される。筒状体１１の上端には、略Ｕ字状の上位置決め溝１３が設けられている。また筒状体１１の下端には、略逆Ｕ字状の下位置決め溝１４が設けられている。
【００２２】
排水筒１２は、筒状体１１の内側に収容されている。排水筒１２は、非導電性の合成樹脂により構成されている。排水筒１２は上下方向に長さを有している。排水筒１２は、中心軸が上下方向に平行となるよう配置される。言い換えると排水筒１２の中心軸は、筒状体１１の中心軸と略一致している。排水筒１２の外径は、筒状体１１の内径よりも小さく形成されている。排水筒１２は、断面略楕円形に形成されている。排水筒１２は、上流側の竪樋９１と下流側の竪樋９２とを連通接続する。言い換えると排水筒１２は、上流側の竪樋９１と下流側の竪樋９２との間に位置する。
【００２３】
なお、断面略楕円形の排水筒１２の中心軸は、断面において短軸と長軸との交点を通る当該断面に直角な方向の直線と定義される。言い換えると、排水筒１２の中心軸は、断面において長軸を二等分する点を通る当該断面に直角な直線を言う。また排水筒１２は、断面円形であってもよい。
【００２４】
排水筒１２の内部には、排水路１８が形成されている。排水路１８は、上流側の竪樋９１と下流側の竪樋９２とに連通している。排水路１８は、上下方向に長さを有している。排水路１８の長手方向は、竪樋８の長手方向に略平行となっている。
【００２５】
排水筒１２は、筒状体１１の内面から径方向に一定以上の隙間を介して配置されている。言い換えると排水路１８は、アンテナ２のスロット２１から離れた位置に配置されている。
【００２６】
集水部１５は、上流側の竪樋９１の下端から吐出された雨水を受ける。集水部１５は、受けた雨水を集水し、これにより雨水を排水筒１２内に流し込む。集水部１５は、上端開口部１５５と、第１の固定部１５０と、第２の固定部１５１とを備えている。上端開口部１５５は、上接続体４０の接続口４５に連通接続される。第１の固定部１５０は、筒状体１１の上端に取り付けられる。第２の固定部１５１は、排水筒１２の上端に取り付けられる。言い換えると集水部１５は、筒状体１１と排水筒１２とを相互に固定する。第２の固定部１５１は開口を有している。この第２の固定部１５１の開口は上端開口部１５５に連通する。これにより第２の固定部１５１と排水筒１２とが接続されることで、集水部１５の上端開口部１５５と排水筒１２の内部とが連通する。
【００２７】
集水部１５は、上位置決め凹所１５２を有している。上位置決め凹所１５２は、筒状体１１の上位置決め溝１３と同じ位置に配置されている。
【００２８】
アンテナ２は電波を受信するためのものである。アンテナ２は、筒状体１１の外周部１６に取り付けられる。アンテナ２は、筒状体１１と外筒体１９との間に設けられる。アンテナ２は、図３に示されるように、筒状体１１の外周部１６に沿うよう外側から重ねられる。言い換えると、アンテナ２は、筒状体１１の外周部１６に積層される。なお、アンテナ２は筒状体１１の外周部１６の肉厚内に埋設されてもよい。
【００２９】
アンテナ２は、導電性を有する金属板材（金属箔も含まれる）により構成されている。アンテナ２は、図４に示されるように、断面略Ｃ字状となっている。アンテナ２は、縦長矩形状の金属板材を短辺方向がＣ字状となるよう長辺方向に一様に湾曲させることで形成される。
【００３０】
アンテナ２は、スロットアンテナ２０により構成されている。スロットアンテナ２０は、上下方向に複数のスロット２１が形成されている。アンテナ２は指向性を有している。スロット２１は、上下方向に複数並設されている（本実施形態では２箇所）。スロット２１同士は、スリット状の細溝２２で接続されている。スロット２１は、スロットアンテナ２０の周方向の一部に形成されている。
【００３１】
各スロット２１は、金属板材を貫通する開口孔により形成されている。各スロット２１は、ボウタイ形状に形成されている。ボウタイ形状とは、一対の三角形の頂点同士を互いに突き合わせたような形状と定義される。
【００３２】
また、上方側のスロット２１は、給電部２３を有している。給電部２３は、上方側のスロット２１の上下方向の略中央に設けられている。給電部２３は、周方向に対向する三角状片２４の頂点部分で形成されている。
【００３３】
給電部２３には、図５に示されるように、同軸ケーブル７５が電気的に接続される。同軸ケーブル７５は、中央の電線と、外側の網線とを有している。同軸ケーブル７５は、中央の電線が一方の三角状片２４に接続され、外側の網線が他方の三角状片２４に接続される。同軸ケーブル７５は、アンテナ２により受信した電波を、室内側の電気機器に出力するために用いられる。同軸ケーブル７５は、第一端が給電部２３に接続され、第二端が、上接続体４０に設けられた接続具４２２に接続される（図９等参照）。
【００３４】
本実施形態のアンテナ２は、図４に示されるように、第一の受信部２６と、第二の受信部２７とを有している。第一の受信部２６は、第一の周波数帯（例えば４７３〜６００ＭＨｚ）の電波を受信する。第二の受信部２７は、第二の周波数帯（例えば６００〜７２０ＭＨｚ）の電波を受信する。
【００３５】
第一の受信部２６は、スロット２１及び当該スロット２１の開口周縁部により構成される。第二の受信部２７は、このスロット２１に上下方向に隣接する周方向に連続した金属板材により構成される。
【００３６】
第一の受信部２６を構成するスロット２１の上下方向の長さは、前記第一の周波数帯内の電波の電気的な半波長の長さに応じて決定される。また、第二の受信部２７の周方向の長さは、前記第二の周波数帯内の電波の電気的な半波長の長さに応じて決定される。
【００３７】
また図６に示されるように、アンテナ２の周方向の両端間には、隙間２８が形成されている。隙間２８は、上下方向の全長に亘って形成されている。隙間２８は、スロット２１に対向する。言い換えると隙間２８は、アンテナ２の円弧中心を挟んで、スロット２１とは対極の位置となるよう配置される。
【００３８】
またアンテナ２は、スロット２１の背部に抜き部２９が形成されている。抜き部２９は、金属板材が存在しない部分であって、正面から見てスロット２１と重なる位置に設けられている。抜き部２９は、上下方向の長さがスロット２１の上下方向の長さよりも長く、且つ周方向の長さがスロット２１の周方向の長さよりも長く形成されている。
【００３９】
このアンテナ２は、図４に示されるように、保護シート２５が金属板材に積層された構造となっている。保護シート２５は、非導電性となっている。これによりアンテナ２は、錆の発生が抑制される。
【００４０】
アンテナ２は、下嵌入溝２５１と、上嵌入溝２５２とを有している。下嵌入溝２５１は、アンテナ２の下端部に設けられている。下嵌入溝２５１は、下接続体５０の下位置決め凹所５７及び筒状体１１の下位置決め溝１４と重なる位置に配置される。上嵌入溝２５２は、アンテナの上端部に設けられている。上嵌入溝２５２は、集水部１５の上位置決め凹所１５２及び筒状体１１の上位置決め溝１３と重なる位置に配置される。
【００４１】
なお、アンテナ２には、保護シート２５が設けられていなくてもよい。
【００４２】
このような構成のアンテナ２は、図３に示されるように、裏面が筒状体１１の外周部１６に当接した状態で取り付けられる。アンテナ２は、筒状体１１の外周部１６に巻き付けられた状態で、その外側から取付部材７により押さえられて固定される。
【００４３】
取付部材７は、図４に示されるように、平面視円環状に形成されている。取付部材７は、第１の部材７１と、第２の部材７２とに分割されている。第１の部材７１と第２の部材７２とは、相互に着脱自在に連結される。取付部材７は、図５に示されるように、給電固定部７３と、ケーブル保持部７４とを備えている。給電固定部７３は、給電部２３において同軸ケーブル７５の端部を保持・固定する。ケーブル保持部７４は、同軸ケーブル７５の中間部分を保持する。ケーブル保持部７４は、スロット２１に対して周方向にずれた位置に同軸ケーブル７５を固定する。これによりケーブル保持部７４は、同軸ケーブル７５がスロット２１に重なるのを防ぐ。
【００４４】
取付部材７は、上位置決め突起（図示せず）と、下位置決め突起（図示せず）とを備えている。上位置決め突起は、集水部１５の上位置決め凹所１５２及び筒状体１１の上位置決め溝１３に挿入される。下位置決め突起は、下接続体５０の下位置決め凹所５７及び筒状体１１の下位置決め溝１４に挿入される。これにより取付部材７は、筒状体１１とアンテナ２との相対位置を固定する。言い換えると取付部材７は、筒状体１１に対し、アンテナ２を周方向に位置決めする。
【００４５】
外筒体１９は、図４に示されるように、断面円形状に形成されている。外筒体１９は、樋体１０の外側に配置されている。外筒体１９の内径は、樋体１０の外径よりも大きく形成されている。外筒体１９は、非導電性の合成樹脂により構成されている。外筒体１９は上下方向に長さを有している。外筒体１９は、中心軸が上下方向に平行となるよう配置されている。言い換えると、外筒体１９の中心軸は、樋体１０の中心軸と略一致している。これによりアンテナ付き竪樋１は３重筒構造となっている。
【００４６】
本実施形態のアンテナ付き竪樋１は、図３，４に示されるように、樋体１０及び外筒体１９の下端に下接続体５０が設けられている。またアンテナ付き竪樋１は、樋体１０及び外筒体１９の上端に上接続体４０が設けられている。
【００４７】
下接続体５０は、樋体１０の下端に固定される。また下接続体５０は、外筒体１９の下端にも固定されている。下接続体５０は、回動体５１と、保持体６０とを備えている。回動体５１は、樋体１０及び外筒体１９に固定される。回動体５１は、保持体６０に回転自在に取り付けられている。保持体６０は、回動体５１を支持する。保持体６０は、例えば、建物外壁９０に樋控え具８０を介して固定される。
【００４８】
回動体５１は、保持体６０に中心軸廻りに回動自在に支持されている。回動体５１は、排水筒１２と筒状体１１と外筒体１９とを相互に固定する。これにより回動体５１は、排水筒１２と筒状体１１と外筒体１９とを一体的に回転可能とさせる。回動体５１は、嵌合部５４と、流出口５６とを備えている。嵌合部５４は開口を有している。嵌合部５４の開口は、流出路５５を介して流出口５６に連通している。
【００４９】
保持体６０は、回動体５１を回動自在に支持する。言い換えると保持体６０は、樋体１０を中心軸廻りに回動自在に支持する。保持体６０は、自重受け突部６２を有している。自重受け突部６２は、保持体６０の上端からフランジ状に径方向外側に突出している。自重受け突部６２は、図３に示されるように、保持体６０が樋控え具８０に保持されると、当該樋控え具８０上端に当接する。つまり保持体６０は、自重受け突部６２と樋控え具８０とにより、下方にずれないように保持される。この自重受け突部６２は、保持体６０において、周方向の全長に亘って形成されている。
【００５０】
下接続体５０は、樋体１０を下流側の竪樋９２に接続するために設けられている。言い換えると下接続体５０は、下流側の竪樋９２と樋体１０とを連通接続する。下接続体５０の保持体６０は、下流側の竪樋９２に固定される。これにより、回動体５１が下流側の竪樋９２に対して回動自在となっている。言い換えると、樋体１０及びアンテナ２及び外筒体１９が、下流側の竪樋９２に対して、回動自在となっている。
【００５１】
上接続体４０は、図３に示されるように、樋体１０の上端に設けられている。言い換えると上接続体４０は、アンテナ付き竪樋１の上端部に設けられている。上接続体４０は、側方膨出部４０２と、本体部４０１とを備えている。本体部４０１は、上接続体４０において、樋体１０の直上に位置した部分である。側方膨出部４０２は、上接続体４０において、本体部４０１から側方に膨出した部分である。言い換えると側方膨出部４０２は、樋体１０の側面から側方に膨出している。側方膨出部４０２は、平面視において、樋体１０から離れる程先細り形状となっている。側方膨出部４０２は、先端部４０３を有する。先端部４０３は、樋体１０から最も離れた位置に形成されている。側方膨出部４０２は、上面と下面と側面とを有している。言い換えると側方膨出部４０２は、少なくとも下面を有している。
【００５２】
上接続体４０は、図４に示されるように、回転部４２と、カバー部４３とを備えている。また、カバー部４３は、接続口４５と、水受け部４３１とを有している。言い換えると上接続体４０は、接続口４５と、水受け部４３１とをさらに備えている。接続口４５は、アンテナ付き竪樋１の上端に設けられている。接続口４５は、排水路１８に連通している。接続口４５には、上流側の竪樋９１の下端部が挿通される。接続口４５は、下接続体５０の流出口５６に連通している。
【００５３】
回転部４２は、樋体１０の中心軸廻りに回転自在となっている。回転部４２は、樋体１０及び外筒体１９に対し回動自在となっている。回動部４２は、集水部１５の廻りを回転する。回転部４２は、図８に示されるように、膨出部４２０を有している。膨出部４２０は、樋体１０の外周面よりも側方（水平方向）に膨出している。また膨出部４２０は、外筒体１９の外周面よりも側方（水平方向）に膨出している。膨出部４２０には、図９に示されるように、接続具４２２が取り付けられている。また、回転部４２は、取出用孔４２１を有している。取出用孔４２１は、樋体１０の中心軸を中心とした弧状の長孔である。取出用孔４２１は上下方向に貫通している。膨出部４２０は、取出用孔４２１を通して、アンテナ２に接続された同軸ケーブル７５が、膨出部４２０上に取り出される。
【００５４】
膨出部４２０には、ケーブル取出部４２４が設けられている。ケーブル取出部４２４には、接続具４２２が取り付けられている。接続具４２２は端子部４２６を有している。端子部４２６は、電気機器に接続された配線ケーブルに電気的に接続される部分である。より詳しく説明すると、ケーブル取出部４２４に接続具４２２が取り付けられると、端子部４２６が外部に露出する。接続具４２２は、膨出部４２０の上方から挿通される。すると膨出部４２０の下面から端子部４２６が下方に突出する。接続具４２２は、同軸ケーブル７５の第二端に（すなわち、アンテナ２側とは反対側の端部に）電気的に接続されている。
【００５５】
カバー部４３は、図８に示されるように、回転部４２を覆う。カバー部４３は回転部４２に着脱自在となっている。カバー部４３は、水受け部４３１と、側面部４３２とを備えている。水受け部４３１は、上接続体４０の上面において、本体部４０１から側方膨出部４０２に亘って設けられている。水受け部４３１には立設片４３３が設けられている。また水受け部４３１には、接続口４５が設けられている。言い換えると、接続口４５は、水受け部４３１の一部に設けられている。水受け部４３１は、略水平面により構成されている。水受け部４３１は、膨出部４２０の上方に位置している。水受け部４３１は、膨出部４２０を上方から覆う。
【００５６】
水受け部４３１は、図１に示されるように、立設片４３３を備えている。立設片４３３は、水受け部４３１の外縁から上方に突出している。立設片４３３は環状に形成されている。言い換えると立設片４３３は、水受け部４３１の外縁を略全周に亘って囲む。これにより立設片４３３は、水受け部４３１に溜まった雨水が外側に漏れるのを防ぐ。
【００５７】
立設片４３３は堰部４３４を有している。堰部４３４は、立設片４３３の一部を構成する。すなわち堰部４３４と立設片４３３とで、水受け部４３１の外縁全周を囲むようになっている。堰部４３４は、水受け部４３１に受けられた雨水が水受け部４３１から漏れ出るのを防ぐ。堰部４３４は、切欠部４３５と、堰片４３６とを備えている。切欠部４３５は、立設片４３３において一部が切欠された箇所である。堰片４３６は、切欠部４３５の両端部を略Ｕ字状に繋ぐように設けられている。堰片４３６は、水受け部４３１から上方に突出している。堰片４３６は、立設片４３３の突出高さよりも低く突出している。言い換えると、堰部４３４は、立設片４３３の一部に設けられてこの立設片４３３よりも低く突出している。
【００５８】
なお、堰部４３４は、図１１に示されるような形状であってもよい。堰部４３４は、立設片４３３よりも突出高さが低くなっている。堰部４３４は、水受け部４３１の外縁に沿って設けられている。堰部４３４は、立設片４３３に沿って設けられている。
【００５９】
側面部４３２は、図１に示されるように、水受け部４３１の外縁から下方に延設されている。側面部４３２は、回転部４２よりも大きく形成されている。側面部４３２は、回転部４２の側方を覆うよう構成されている。
【００６０】
側面部４３２は、水伝い部３を有している。水伝い部３は、上下方向に長さを有している。水伝い部３は、上下方向に連続している。水伝い部３の上端は、堰部４３４に接続されている。水伝い部３の下端は、側面部４３２の下端に設けられている。言い換えると、水伝い部３は、堰部４３４から下方に向けて延設されている。詳しく説明すると、水伝い部３は溝部３１により構成されている。溝部３１は、堰部４３４の切欠部４３５から下方に向けて設けられている。溝部３１は、上下方向に連続している。水伝い部３は、側方膨出部４０２の先端部４０３に設けられている。
【００６１】
水伝い部３の下端部は、側面部４３２の下端よりも下方に延設されている。接続具４２２の端子部４２６は、膨出部４２０の下面から下方に向けて突出している。水伝い部３の下端部は、端子部４２６よりも下方に突出している。詳しく説明すると、側面部４３２は、突片部４３７を有している。突片部４３７は、側面部４３２の先端部４０３の下端から下方に向けて延設されている。溝部３１は、堰部４３４から突片部４３７に亘って連続して設けられている。
【００６２】
なお、水伝い部３は、溝部３１でなくてもよい。例えば水伝い部３は、図１２に示されるように、側面部４３２から突出した突条３２により構成されてもよい。突条３２は、上下方向に長さを有している。突条３２は、上端が堰部４３４の上端から下方に延設されている。突条３２は、上下方向に連続している。
【００６３】
堰部４３４から流出する雨水は、水伝い部３を伝って流下する。雨水は、水伝い部３の下端部にまで流下すると、そのまま落下する。このとき水伝い部３の下端部は、端子部４２６よりも下方に位置しているため、雨水が端子部４２６に付着しにくくなっている。
【００６４】
接続口４５は、上流側の竪樋９１の外径よりも大きく形成されている。言い換えると、竪樋８にアンテナ付き竪樋１を設置すると、接続口４５の開口縁と上流側の竪樋９１との間に、間隙８４が形成される。接続口４５は、図８に示されるように、垂下片４５１を有している。垂下片４５１は、開口内周縁から下方に向けて延設されている。垂下片４５１は、水受け部４３１が集水部１５の上端開口部１５５に当接又は近接対向すると、集水部１５の上端開口部１５５の内側に位置する。これにより接続口４５は、集水部１５の上端開口部１５５に接続される。
【００６５】
水受け部４３１は、接続口４５の周縁部に設けられた段部４９を有している。段部４９は、接続口４５の開口周縁部の全周に亘って設けられている。段部４９は、接続口４５の開口周縁が凹没して形成されている。段部４９は、後述のロック部材４４が入り込むことで、ロック部材４４の上面と水受け部４３１の上面とを面一とさせる。
【００６６】
上接続体４０は、樋体１０に対し中心軸廻りに回転する。詳しく説明すると、上接続体４０は、樋体１０に対して上方に持ち上げられると、回転許容状態となる。また上接続体４０は、自重にて下方に下がり、樋体１０に対して所定の位置に位置すると、回転規制状態となる。回転規制状態は、樋体１０に対し上接続体４０の回転が規制された状態と定義される。言い換えると、上接続体４９は、樋体１０から上方に離れると回転許容状態となる。また上接続体４９は、自然状態では回転規制状態となる。なおここで言う自然状態とは、上接続体４０が持ち上げられていない状態と定義される。
【００６７】
集水部１５は、図８に示されるように、嵌合凸部１５３を有している。嵌合凸部１５３は、集水部１５の側面に設けられている。嵌合凸部１５３は複数設けられている。嵌合凸部１５３は、周方向に連続している。嵌合凸部１５３は、上方に突出した山形状となっている。
【００６８】
上接続体４０の回転部４２は、嵌合凸部１５３に嵌合する嵌合凹部４２３を有している。回転部４２は挿入開口４２５を有している。挿入開口４２５には集水部１５が挿入される。嵌合凹部４２３は、この挿入開口４２５の内周面（集水部１５の側面との対向面）に設けられている。嵌合凹部４２３は、下方に凹形状となっており、言い換えると下方に開口している。嵌合凹部４２３は複数設けられている。嵌合凹部４２３は、挿入開口４２５の半周に亘って並設されている。
【００６９】
集水部１５を回転部４２の挿入開口４２５内に挿入すると、嵌合凸部１５３が嵌合凹部４２３に凹凸嵌合する。これにより回転部４２は、回転規制状態となる。また回転部４２は、樋体１０から離れる側（つまり上方）に移動すると、嵌合凸部１５３と嵌合凹部４２３との嵌合状態が解除され、回転許容状態となる。
【００７０】
アンテナ付き竪樋１は、ロック部材４４をさらに備えている。ロック部材４４は、回転部４２を回転規制状態に保持する。ロック部材４４は、上接続体４と樋体１０との相対的な回転を規制するか又は前記相対的な回転を許容するかを選択的に行なう。ロック部材４４は、回転部４２の回転を、樋体１０の中心軸廻りの任意の位置で規制する。
【００７１】
ロック部材４４は、平面視円環状をしている。ロック部材４４は、接続口４５の開口に沿って回転自在となるよう配置される。ロック部材４４は、水受け部４３１の段部４９内に配置される。これによりロック部材４４の上面は、水受け部４３１の上面と面一となる。
【００７２】
ロック部材４４は、押圧部４４１と、保持部４４２と、突起部４８とを備えている。押圧部４４１は、カバー部４３の上端に当接する。押圧部４４１は、円環状に形成されている。押圧部４４１は、フランジ状に形成されている。保持部４４２は、押圧部４４１の内周縁から下方に向けて突設されている。保持部４４２は、接続口４５内に回転自在に嵌め込まれる。保持部４４２は、突起４４３を有している。突起４４３は、径方向外側に突出している。
【００７３】
突起部４８は、押圧部４４１の上面に設けられている。突起部４８は、上方に向けて突出している。突起部４８は、ロック部材４４のつまみ部となっている。
【００７４】
集水部１５は、ガイド突条１５４を有している。ガイド突条１５４は、集水部１５の内側面に設けられている。ガイド突条１５４は、ロック部材４４の保持部４４２の突起４４３と係合する。ガイド突条１５４は、傾斜部１５６と、水平部１５７とを備えている。傾斜部１５６は、周方向において第一端から第二端側に行くほど下方に位置する。また傾斜部１５６は漸次下方に位置するよう傾斜する。水平部１５７は、傾斜部１５６の第一端から周方向に連設されている。
【００７５】
ロック部材４４の保持部４４２の突起４４３は、図１０に示すように、集水部１５のガイド突条１５４に係止する。これによりロック部材４４は、回転するに際し、ガイド突条１５４にガイドされる。詳しく説明すると、ロック部材４４が回転すると、突起４４３がガイド突条１５４の傾斜部１５６の下面に沿って移動する。これによりガイド突条１５４はロック部材４４を下方に押し下げる。さらにロック部材４４が回転すると、突起４４３が水平部１５７にまで移動する。このとき保持部４４２は、押圧部４４１を、樋体１０に対して上下方向に移動規制した状態で保持する。
【００７６】
ロック部材４４が下方に押し下げられると、押圧部４４１は上接続体４０を樋体１０側に向けて押し下げる。これにより、嵌合凸部１５３と嵌合凹部４２３とが凹凸嵌合され、この状態で保持される。この結果、アンテナ付き竪樋１は、上接続体４０と前記樋体１０との相対的な回転が任意の回転位置で規制される。
【００７７】
またロック部材４４が反対側に回転すると、保持部４４２の突起４４３が、傾斜部１５６に沿って上方に移動する。そして押圧部４４１が樋体１０から離れる方向に移動する。これにより上接続体４０は、樋体１０に対して相対的に持ち上げることが可能となる。この結果、アンテナ付き竪樋１は、上接続体４０と樋体１０との相対的な回転を許容する状態となる。
【００７８】
以上のような構成のアンテナ付き竪樋１は、図２に示されるように、建物外壁９０に沿って設置された竪樋８の一部を構成する。
【００７９】
竪樋８は、上下方向に長さを有している。竪樋８は内部に流路を有している。竪樋８の流路は、上下方向に長く形成されている。竪樋８の外径は、接続口４５よりも小径に形成されている。言い換えると、竪樋８は、接続口４５内に挿通できるようになっている。なお、竪樋８は、丸樋ではなく、角樋であってもよい。
【００８０】
建物外壁９０には雨水を流す樋構造が設けられている。樋構造は、軒樋９４と、集水器９５と、第１のエルボ９６と、呼び樋９７と、第２のエルボ９８、竪樋８とを備えている。軒樋９４は、建物の屋根の下端部に設けられている。軒樋９４は、屋根下端に沿って配置されている。軒樋９４には集水器９５が取り付けられている。集水器９５には第１のエルボ９６が接続されている。第１のエルボ９６には呼び樋９７が接続されている。呼び樋９７には第２のエルボ９８が接続されている。第２のエルボ９８には上流側の竪樋９１が接続されている。上流側の竪樋９１は、下流側の竪樋９２と上下に離間している。下流側の竪樋９２の下端は、排水溝（図示せず）に接続されている。
【００８１】
アンテナ付き竪樋１は、上流側の竪樋９１と下流側の竪樋９２との間に接続される。アンテナ付き竪樋１は、下流側の竪樋９２の上端に接続されている。これにより下流側の竪樋９２の流路は、アンテナ付き竪樋１の排水路１８に連通する。上流側の竪樋９１の下端は、アンテナ付き竪樋１の接続口４５内に挿入されている。これにより上流側の竪樋９１の流路は、アンテナ付き竪樋１の排水路１８に連通する。
【００８２】
上流側の竪樋９１及び下流側の竪樋９２は、端部が樋控え具９９を介して外壁９０に固定されている。また、本実施形態のアンテナ付き竪樋１は、非導電性樹脂により形成された樋控え具８０により固定されている。このように、本実施形態のアンテナ付き竪樋１は、設置されると、建物の外壁９０に沿って設置された竪樋８の一部を構成する。
【００８３】
本実施形態のアンテナ付き竪樋１を設置するには、施工者は、上接続体４０の接続口４５に上流側の竪樋９１の下端を挿入する。この後、施工者は下接続体５０を下流側の竪樋９２に接続する。そして、下接続体５０を樋控え具８０を介して建物外壁９０に固定する。
【００８４】
次いで施工者は、アンテナ２が放送電波を最も強く受信できるよう、アンテナ付き竪樋１を上流側の竪樋９１及び下流側の竪樋９２に対して回動させる。このときアンテナ付き竪樋１は、固定された下接続体５０の保持体６０に対し、樋体１０が回動自在である。また竪樋８と接続口４５の開口縁との間に一定以上の間隙８４を有する。このため、施工者はアンテナ２の向きを回転して微調整することができる。微調整後、施工者は、アンテナ付き竪樋１を、別の樋控え具８０を用いて固定する。
【００８５】
次に施工者は、アンテナ付き竪樋１の上接続体４０を回転させて、膨出部４２０を建物外壁９０に沿わせる。そして、施工者は、ロック部材４４を回転させて、上接続体４０の回転をロックする。
【００８６】
本実施形態のアンテナ付き竪樋１は、排水性能を備えるアンテナである。つまり、従来は屋根の上にアンテナを設置していたが、本実施形態のアンテナ付き竪樋１によれば、竪樋８と一体化させることができ、建物外観を向上させることができる。
【００８７】
また本実施形態のアンテナ付き竪樋１は、排水性能を有するアンテナとして、ユニット化されている。したがって、施工者の技量に寄らず建物に簡単に取り付けることができる。これにより、施工後の仕上がりを一定以上のものとすることができる。
【００８８】
また、本実施形態のアンテナ付き竪樋１は、水受け部４３１の外縁に立設片４３３と、この立設片４３３よりも突出高さの低い堰部４３４とを備えている。またアンテナ付き竪樋１は、堰部４３４から下方に向けて設けられた水伝い部３を備えている。このため、通常時において雨水は、立設片４３３と堰部４３４とにより、せき止められて外側に漏れにくい。従って雨水は、接続口４５に流れる。一方、水受け部４３１に受けられた雨水が溢れる場合には、雨水は、まず堰部４３４を通して溢れる。この後、雨水は、水伝い部３を伝って下方に流下する。このため、仮に、水受け部４３１上の雨水が溢れたとしても、特定の箇所を流通させることができる。
【００８９】
また本実施形態のアンテナ付き竪樋１の水伝い部３は、溝部３１により構成されている。このため、製造が容易である。
【００９０】
また本実施形態のアンテナ付き竪樋１の水伝い部３の下端部は、端子部４２６よりも下方に突出している。堰部４３４から溢れた雨水は、水伝い部３を伝って流下し、その後、落下する。このとき、水伝い部３の下端部は、端子部４２６よりも下方に位置しているため、落下した雨水が端子部４２６に付着するのを極力防ぐことができる。
【００９１】
また本実施形態のアンテナ付き竪樋１の水伝い部３は、側方膨出部４０２の先端部４０３に設けられている。このため、水伝い部３を樋体１０から極力離すことができる。これにより、水伝い部３から流下した雨水が、樋体１０や外筒体１９に付着するのを防ぐことができる。
【００９２】
なお本実施形態のアンテナ付き竪樋１は、新たに竪樋８を施工する際に取り付けられてもよいし、既に設置された竪樋８の一部を切除して、後付け的に取り付けられてもよい。
【符号の説明】
【００９３】
１      アンテナ竪樋
１０    樋体
１１    筒状体
１２    排水筒
１５    集水部
１６    外周部
１８    排水路
１９    外筒体
２      アンテナ
２０    スロットアンテナ
３      水伝い部
３１    溝部
３２    突条
４      接続部
４０    上接続体
４０１  本体部
４０２  側方膨出部
４０３  先端部
４２    回転部
４２０  膨出部
４２２  接続具
４２６  端子部
４３    カバー部
４３１  水受け部
４３２  側面部
４３３  立設片
４３４  堰部
４３５  切欠部
４３６  堰片
４３７  突片部
４４    ロック部
４５    接続口
５０    下接続体
【図１】
0005906434.tif 000002
【図２】
0005906434.tif 000003
【図３】
0005906434.tif 000004
【図４】
0005906434.tif 000005
【図５】
0005906434.tif 000006
【図６】
0005906434.tif 000007
【図７】
0005906434.tif 000008
【図８】
0005906434.tif 000009
【図９】
0005906434.tif 000010
【図１０】
0005906434.tif 000011
【図１１】
0005906434.tif 000012
【図１２】
0005906434.tif 000013
【図１３】
0005906434.tif 000014